(57)【要約】      （修正有）【課題】廃棄物を密閉収容することができ、強度にも優れる土嚢用袋体を提供する。【解決手段】土嚢用袋体１０であって、廃棄物を密閉収容可能な内袋体１と、内袋体１を収容する外袋体２と、内袋体１と外袋体２とを固定する固定部３と、を備える。また、外袋体２には、帯状の吊りベルト５が縫着されている。そして、内袋体１の口部１ａを封止することにより、廃棄物が内袋体１内に密閉され、外袋体２の口部１ｂを封止することにより、内袋体１が外袋体２内に収容される。【選択図】図１
2014136883.tif 000002
【特許請求の範囲】
【請求項１】
土嚢に用いられる土嚢用袋体であって、
廃棄物を密閉収容可能な内袋体と、
該内袋体を収容する外袋体と、
前記内袋体と前記外袋体とを固定する固定部と、
を備える土嚢用袋体。
【請求項２】
前記外袋体のＪＩＳ−Ｌ１０９６に準じて測定した引張強度が２４０Ｎ／ｃｍ以上である請求項１記載の土嚢用袋体。
【請求項３】
前記内袋体のＪＩＳ−Ｋ７１２９に準じて測定した透湿度が１００ｇ／ｍ２・２４ｈ以下である請求項１又は２に記載の土嚢用袋体。
【請求項４】
前記外袋体が、ポリエステル又はポリプロピレンからなる織物、編物又は組物であり、
前記内袋体が、ポリエステルフィルム、ナイロンフィルム、ポリエチレンフィルム、ポリプロピレンフィルム、ポリ塩化ビニリデンフィルム、ポリビニルアルコールフィルム、ポリ塩化ビニルフィルム、ポリメチルペンテンフィルム、ポリアクリロニトリルフィルム、アルミナ蒸着フィルム及びシリカ蒸着フィルムからなる群より選ばれる少なくとも１種のフィルムからなる積層体である請求項１〜３のいずれか１項に記載の土嚢用袋体。
【請求項５】
前記固定部が、前記外袋体に縫着されている請求項４記載の土嚢用袋体。
【請求項６】
前記固定部が粘着テープであり、
該固定部と前記内袋体との固定が、粘着によるものである請求項４又は５に記載の土嚢用袋体。
【請求項７】
前記固定部が、前記内袋体の外側側面と前記外袋体の内側側面とを部分的に固定するものである請求項１〜６のいずれか１項に記載の土嚢用袋体。
【請求項８】
前記内袋体が、前記固定部から着脱自在となっている請求項１〜７のいずれか１項に記載の土嚢用袋体。
【請求項９】
前記外袋体の容積が、前記内袋体の容積よりも小さくなっている請求項１〜８のいずれか１項に記載の土嚢用袋体。
【請求項１０】
前記内袋体のＪＩＳ−Ｋ７１２６に準じて測定した酸素透過度が５００ｍｌ／ｍ２・２４ｈ・ＭＰａ以下である請求項１〜９のいずれか１項に記載の土嚢用袋体。
【請求項１１】
前記外袋体を吊るための帯状の吊りベルトを更に備え、
該吊りベルトが、前記外袋体の側面に縫着されている請求項１〜１０のいずれか１項に記載の土嚢用袋体。
【発明の詳細な説明】
【技術分野】
【０００１】
本発明は、土嚢に用いられる土嚢用袋体に関し、更に詳しくは、廃棄物を密閉収容可能であり、且つ強度にも優れる土嚢用袋体に関する。
【背景技術】
【０００２】
海岸、河川、湖、池等での土木工事に土嚢が各所で用いられている。ここで、土嚢は、土嚢用袋体の中に土砂や石材等の中詰め材が充填されたものである。
【０００３】
このような土嚢用袋体としては、合成繊維糸で編成した網地を用い一重または二重以上で形成した外袋の開口周縁近傍の網目に吊りロープを挿通し、端部を連結して無端状となし該無端状ロープを網目の所定箇所で引き出して複数の吊りループを形成し、吊りループ近傍に口絞りロープを配設した外袋と、該外袋の内部に配置した布帛で形成した内袋と、内袋に充填した土砂とからなる大型土嚢が知られている（例えば、特許文献１参照）。
【０００４】
ところで、近年、土嚢用袋体は、上述した土木工事だけでなく、中詰め材の代わりに、汚染水やし尿を吸着させた吸着ポリマー、破砕片、汚染土壌、排便等の廃棄物を大量に密閉して収容する用途として用いることが検討されている。
【先行技術文献】
【特許文献】
【０００５】
【特許文献１】特開２０００−１８２８号公報
【発明の概要】
【発明が解決しようとする課題】
【０００６】
しかしながら、上記特許文献１記載の大型土嚢は、外袋と内袋に密閉性がないので、廃棄物を密閉収容する用途に用いることはできない。
また、一般の密閉収容用の袋は、大量の廃棄物を収容することができず、また、強度も不十分であるので運搬することが困難である。
【０００７】
本発明は上記事情に鑑みてなされたものであり、廃棄物を密閉収容することができ、強度にも優れる土嚢用袋体を提供することを目的とする。
【課題を解決するための手段】
【０００８】
本発明者等は、上記課題を解決するため鋭意検討したところ、廃棄物を密閉収容可能な内袋体と、所定の強度を有する外袋体とを備え、これらを固定させることにより、意外にも、上記課題を解決し得ることを見出し、本発明を完成させるに至った。
【０００９】
本発明は、（１）土嚢に用いられる土嚢用袋体であって、廃棄物を密閉収容可能な内袋体と、該内袋体を収容する外袋体と、内袋体と外袋体とを固定する固定部と、を備える土嚢用袋体に存する。
【００１０】
本発明は、（２）外袋体のＪＩＳ−Ｌ１０９６に準じて測定した引張強度が２４０Ｎ／ｃｍ以上である上記（１）記載の土嚢用袋体に存する。
【００１１】
本発明は、（３）内袋体のＪＩＳ−Ｋ７１２９に準じて測定した透湿度が１００ｇ／ｍ２・２４ｈ以下である上記（１）又は（２）に記載の土嚢用袋体に存する。
【００１２】
本発明は、（４）外袋体が、ポリエステル又はポリプロピレンからなる織物、編物又は組物であり、内袋体が、ポリエステルフィルム、ナイロンフィルム、ポリエチレンフィルム、ポリプロピレンフィルム、ポリ塩化ビニリデンフィルム、ポリビニルアルコールフィルム、ポリ塩化ビニルフィルム、ポリメチルペンテンフィルム、ポリアクリロニトリルフィルム、アルミナ蒸着フィルム及びシリカ蒸着フィルムからなる群より選ばれる少なくとも１種のフィルムからなる積層体である上記（１）〜（３）のいずれか１つに記載の土嚢用袋体に存する。
【００１３】
本発明は、（５）固定部が、外袋体に縫着されている上記（４）記載の土嚢用袋体に存する。
【００１４】
本発明は、（６）固定部が粘着テープであり、固定部と内袋体との固定が、粘着によるものである上記（４）又は（５）に記載の土嚢用袋体に存する。
【００１５】
本発明は、（７）固定部が、内袋体の外側側面と外袋体の内側側面とを部分的に固定するものである上記（１）〜（６）のいずれか１つに記載の土嚢用袋体に存する。
【００１６】
本発明は、（８）内袋体が、固定部から着脱自在となっている上記（１）〜（７）のいずれか１つに記載の土嚢用袋体に存する。
【００１７】
本発明は、（９）外袋体の容積が、内袋体の容積よりも小さくなっている上記（１）〜（８）のいずれか１つに記載の土嚢用袋体に存する。
【００１８】
本発明は、（１０）内袋体のＪＩＳ−Ｋ７１２６に準じて測定した酸素透過度が５００ｍｌ／ｍ２・２４ｈ・ＭＰａ以下である上記（１）〜（９）のいずれか１つに記載の土嚢用袋体に存する。
【００１９】
本発明は、（１１）外袋体を吊るための帯状の吊りベルトを更に備え、該吊りベルトが、外袋体の側面に縫着されている上記（１）〜（１０）のいずれか１つに記載の土嚢用袋体に存する。
【発明の効果】
【００２０】
本発明の土嚢用袋体においては、内袋体を備えることにより、廃棄物を密閉した状態で収容することができる。
これにより、廃棄物が漏れることを防止することができる。このとき、内袋体の透湿度が１００ｇ／ｍ２・２４ｈ以下であると、廃棄物の漏れ、及び、水分の侵入を防止することができ、酸素透過度が５００ｍｌ／ｍ２・２４ｈ・ＭＰａ以下であると、悪臭の漏れを抑制することができる。
【００２１】
本発明の土嚢用袋体においては、内袋体の外側に、例えば、引張強度が２４０Ｎ／ｃｍ以上の外袋体を備えることにより、土嚢用袋体自体として、十分な強度を発揮することができる。
これにより、廃棄物を収容させた土嚢用袋体を、クレーン等で吊り上げて運搬することが可能となる。
【００２２】
本発明の土嚢用袋体においては、内袋体と外袋体とが固定部を介して固定されているので、内袋体が外袋体に対してずれ、互いに擦れ合うことを防止できる。
このとき、固定部が、内袋体の外側側面と外袋体の内側側面とを部分的に固定するものである場合、内袋体には所定の自由度があるので、取り扱い易い。
ここで、内袋体が、固定部から着脱自在となっている場合、廃棄物に応じて、透湿度の異なる内袋体に適宜交換することが可能となる。
すなわち、内袋体の透湿度の調整ができる。
【００２３】
本発明の土嚢用袋体においては、外袋体が、ポリエステル又はポリプロピレンからなる織物、編物又は組物である場合、柔軟性を有するので、廃棄物からの応力を受けても、その力を分散させることができる。
このとき、固定部が、外袋体に縫着されていると、固定部を外袋体に確実に固定できる。
また、内袋体が、ポリエステルフィルム、ナイロンフィルム、ポリエチレンフィルム、ポリプロピレンフィルム、ポリ塩化ビニリデンフィルム、ポリビニルアルコールフィルム、ポリ塩化ビニルフィルム、ポリメチルペンテンフィルム、ポリアクリロニトリルフィルム、アルミナ蒸着フィルム及びシリカ蒸着フィルムからなる群より選ばれる少なくとも１種のフィルムからなる積層体である場合、廃棄物の密閉性がより向上する。
このとき、固定部と内袋体との固定が、粘着によるものであると、固定部と内袋体とを容易に固定できる。
なお、内袋体の着脱も容易となる。
【００２４】
本発明の土嚢用袋体においては、外袋体の容積が、内袋体の容積よりも小さくなっている場合、廃棄物によって土嚢用袋体の形状が変わっても、内袋体のみを廃棄物の形状に追従させることにより、外袋体が破れることを防止できる。
また、土嚢用袋体を吊り上げた場合、外袋体と共に内袋体が引っ張られることを抑制できる（張力抑制効果）。
さらに、充填された廃棄物の充填圧が、内袋体を介して、外袋体に伝わることになるので、内袋体が破損することを防止できる（圧力抑制効果）。
【００２５】
本発明の土嚢用袋体においては、外袋体を吊るための帯状の吊りベルトを更に備え、該吊りベルトが、外袋体の側面に縫着されている場合、吊りベルトを介して、土嚢用袋体をクレーン等で容易に運搬することが可能となる。
【図面の簡単な説明】
【００２６】
【図１】図１は、本実施形態に係る土嚢用袋体の概略を示す側面図である。
【図２】図２は、図１に示す土嚢用袋体の部分Ｐを示す拡大図である。
【図３】図３の（ａ）は、本実施形態に係る土嚢用袋体の概略を示す底面図であり、（ｂ）は、本実施形態に係る土嚢用袋体の概略を示す上面図である。
【図４】図４は、本実施形態に係る土嚢用袋体の内袋体の概略を示す斜視図である。
【図５】図５の（ａ）は、図１に示す土嚢用袋体をＡ−Ａ線で水平に切断した概略断面図であり、（ｂ）は、（ａ）の状態から、内袋体を剥がした図である。
【発明を実施するための形態】
【００２７】
以下、必要に応じて図面を参照しつつ、本発明の好適な実施形態について詳細に説明する。
なお、図面中、同一要素には同一符号を付すこととし、重複する説明は省略する。
また、上下左右等の位置関係は、特に断らない限り、図面に示す位置関係に基づくものとする。
更に、図面の寸法比率は図示の比率に限られるものではない。
【００２８】
本実施形態に係る土嚢用袋体は、土嚢に用いられる。
具体的には、土嚢用袋体は、内部に廃棄物を充填し、運搬するために用いられる。
ここで、廃棄物とは、汚染水やし尿を吸着させた吸着ポリマー、破砕片、汚染土壌、排便等を意味する。
なお、当然、廃棄物の代わりに、土砂、木材等の中詰め材を充填することも可能である。
【００２９】
図１は、本実施形態に係る土嚢用袋体の概略を示す側面図である。
図１に示すように、本実施形態に係る土嚢用袋体１０は、廃棄物を密閉収容可能な内袋体１と、該内袋体１を収容する外袋体２と、内袋体１の外側側面と外袋体２の内側側面とを、周方向に対し部分的に固定する固定部３と、を備える。
また、外袋体２には、帯状の吊りベルト５が縫着されている。
【００３０】
土嚢用袋体１０は、内袋体１と外袋体２との２重構造となっており、内袋体１内に廃棄物等が収容される。
そして、内袋体１の口部１ａを封止することにより、廃棄物が内袋体１内に密閉され、外袋体２の口部１ｂを封止することにより、内袋体１が外袋体２内に収容される。
すなわち、廃棄物は、内袋体１及び外袋体２によって２重に封をされた状態で収容されることになる。
【００３１】
土嚢用袋体１０によれば、内袋体１と外袋体２とが固定部３を介して固定されているので、内袋体１が外袋体２に対してずれ、互いに擦れ合うことを防止できる。
このとき、固定部３が、内袋体１の外側側面と外袋体２の内側側面とを部分的に固定しているので、固定部３以外の部分において、内袋体１には所定の動きの自由度があり、取り扱い易い。
また、廃棄物が内袋体１に密閉されることで、廃棄物が漏れることを防止できる。
さらに、内袋体１が外袋体２に収容されることで、内袋体１が外部からの直接の衝撃により破れることを防止できる。
さらにまた、外袋体２に設けられた吊りベルト５により、内袋体１を有する土嚢用袋体１０をクレーン等で吊って運搬することが可能となる。
【００３２】
本実施形態に係る土嚢用袋体１０において、外袋体２は、円柱状であり、外側側面に吊りベルト５が部分的に縫着され、内側側面に固定部３を介して、内袋体１が固定されている。
【００３３】
ここで、外袋体２の素材としては、特に限定されないが、ポリエステル、ポリプロピレン、ポリエチレン、ポリアミド、アラミド等が用いられる。
これらの中でも、外袋体２の素材は、強度及びリサイクルのし易さの観点から、ポリエステル又はポリプロピレンであることが好ましい。
【００３４】
本実施形態に係る土嚢用袋体１０において、外袋体２の組織は、織物、編物、不織布又は組物である。このため、外袋体２が柔軟性を有するので、外部からの衝撃があっても吸収することができる。
特に、外袋体が、ポリエステル又はポリプロピレンからなる織物、編物又は組物であることがより好ましい。
この場合、所定の強度を有すると共に、柔軟性を有するので、廃棄物からの応力を受けても、その力を分散させることができる。
【００３５】
外袋体２においては、反射剤又は紫外線吸収剤等の添加剤が含まれていることが好ましい。
かかる添加剤は、素材に練りこまれていてもよく、外袋体２を形成後、付与してもよい。
この場合、紫外線による外袋体２の劣化を抑制することができる。
なお、反射剤としては、カーボンブラック、酸化鉄、酸化クロム、酸化鉛、酸化亜鉛、酸化マグネシウム、酸化チタン、炭酸カルシウム、硫酸バリウム等が挙げられ、紫外線吸収剤としては、フェニルサリシレート系、ヒドロキシベンゾフェノン系、ベンゾトリアゾール系等の吸収剤が挙げられる。
【００３６】
外袋体２において、ＪＩＳ−Ｌ１０９６に準じて測定した引張強度が２４０Ｎ／ｃｍ以上であることが好ましい。
内袋体１の外側に、引張強度が２４０Ｎ／ｃｍ以上の外袋体を備えることにより、土嚢用袋体１０自体として、十分な強度を発揮することができる。
これにより、廃棄物を収容させた土嚢用袋体を、クレーン等で吊り上げて運搬することが可能となる。
また、土嚢用袋体１０の強度が外袋体２によって担保されるので、内袋体１は、強度がさほどなくても、廃棄物を密閉収容可能な材質のものを広い範囲で選択使用できる。
【００３７】
土嚢用袋体１０において、吊りベルト５は、外袋体２に部分的に縫着される。
なお、本明細書において、外袋体２の部分的に縫着される個所を縫着部とする。
また、吊りベルト５が外袋体２に縫着されている縫着部の上面には、該縫着部を覆うように、被覆材７が外袋体１の側面に縫着されている。
【００３８】
図２は、図１に示す土嚢用袋体の部分Ｐを示す拡大図である。
図２に示すように、吊りベルト５は、外袋体２の外側側面の縫着部２ｂに縫着されており、被覆材７は、縫着部２ｂを十分覆うように、外袋体２の外側側面に縫着されている。なお、被覆材７は、矩形状であり、被覆材７の両端部が吊りベルト５の両側に沿うようにして縫われる。
【００３９】
被覆材７の素材としては、ポリエステル、ポリプロピレン、ポリエチレン、ポリアミド、アラミド等が用いられる。
これらの中でも、被覆材７の素材は、強度及びリサイクルのし易さの観点から、ポリエステル又はポリプロピレンであることが好ましい。
また、被覆材７の素材は、外袋体２の素材と同じであることがより好ましい。
【００４０】
被覆材７においては、反射剤又は紫外線吸収剤等の添加剤が含まれていることが好ましい。
かかる添加剤は、素材に練りこまれていてもよく、被覆材７を形成後、付与してもよい。この場合、紫外線による被覆材７の劣化を抑制することができる。
なお、反射剤及び紫外線吸収剤は上述したものと同じものを適宜用いることができる。
【００４１】
土嚢用袋体１０においては、被覆材７を備えることにより、縫着部２ｂ、特に縫着に用いられる糸の紫外線による劣化を防止できる。
また、縫着部２ｂと外袋体２との固定が補強される。
【００４２】
図３の（ａ）は、本実施形態に係る土嚢用袋体の概略を示す底面図であり、（ｂ）は、本実施形態に係る土嚢用袋体の概略を示す上面図である。
図３の（ａ）に示すように、土嚢用袋体１０において、吊りベルト５は、外袋体２の底部２ａで直交し、外袋体２の側面では底部２ａから立ち上がるように底部２ａと垂直に取り付けられる。
このため、廃棄物が投入された状態で吊り上げた場合、外袋体２は周囲から内方へ向けて吊りベルト５による押圧作用が有効に働くので、土嚢用袋体１０を吊り上げたときの安定性が増し、より安全且つ確実に運搬することが可能となる。
なお、外袋体２の底部２ａにおいては、底部２ａの縫着部２ｂにて、吊りベルト５が縫着されている。
【００４３】
そして、図３の（ｂ）に示すように、外袋体１の上面では、隣の吊りベルト５同士が繋がっている。
すなわち、実質的には１本の吊りベルト５が外袋体２に取り付けられている（図１参照）。
これにより、土嚢用袋体１０を吊り上げる際には、外袋体２と吊りベルト５との縫着強度に依存することなく、外袋体２全体が吊りベルト５によって持ち上げられることになる。
【００４４】
吊りベルト５の上端部には、取っ手部５ａが形成されている。
なお、取っ手部５ａは、土嚢用袋体１０をクレーン等で吊り上げる場合に、クレーンのフックに引っ掛ける部位である。
なお、取っ手部５ａは、強度をより向上させる観点から、吊りベルト５を２重に折り畳んだ構成となっていることが好ましい。
また、クレーン車のフックをかける位置を間違えないようにするため、取っ手部５ａは、外袋体２の色とは異なる色とすることが好ましい。
さらに、取っ手部５ａには、補強のためのカバーが設けられていてもよく、そのカバーに外袋体２の色とは異なる色が施されていてもよい。
【００４５】
ここで、吊りベルト５の素材としては、特に限定されないが、ポリエステル、ポリプロピレン、ポリエチレン、ポリアミド等が用いられる。
これらの中でも、吊りベルト５の材質は、耐久性及びリサイクルのし易さの観点から、ポリプロピレンであることが好ましい。
【００４６】
吊りベルト５においては、反射剤又は紫外線吸収剤等の添加剤が含まれていることが好ましい。
かかる添加剤は、素材に練りこまれていてもよく、吊りベルト５を形成後、付与してもよい。
この場合、紫外線による吊りベルト５の劣化を抑制することができる。
なお、反射剤及び紫外線吸収剤は上述したものと同じものを適宜用いることができる。
【００４７】
吊りベルト５において、ＪＩＳ−Ｌ１０９６に準じた引張強度が３０ｋＮ／本以上であることが好ましい。
引張り強度が３０ｋＮ／本未満であると、引張り強度が上記範囲内にある場合と比較して、中詰め材が充填された土嚢用袋体を吊り上げる際に、吊りベルトが破損する恐れがある。
【００４８】
図４は、本実施形態に係る土嚢用袋体の内袋体の概略を示す斜視図である。
図４に示すように、内袋体１は、円柱状の袋であり、外側側面で固定部３を介して外袋体２と固定するようになっている。
なお、後述するように、固定部３の内袋体１との固定は、粘着によるので、内袋体１の外側側面の粘着個所は問わない。
【００４９】
内袋体１は、ポリエステルフィルム、ナイロンフィルム、ポリエチレンフィルム、ポリプロピレンフィルム、ポリ塩化ビニリデンフィルム、ポリビニルアルコールフィルム、ポリ塩化ビニルフィルム、ポリメチルペンテンフィルム、ポリアクリロニトリルフィルム、アルミナ蒸着フィルム及びシリカ蒸着フィルムからなる群より選ばれる少なくとも１種のフィルムからなる。
このとき、これらのフィルムが少なくとも２層積層された積層体を採用することが好ましい。この場合、廃棄物の密閉性をより向上させることができる。
【００５０】
本実施形態に係る土嚢用袋体１０において、内袋体１は、部分Ｑに示すように、ポリエステルフィルム、アルミナ蒸着フィルム、ナイロンフィルム及びポリエチレンフィルムの４層のフィルムからなる積層体であることが好ましい。
この場合、密閉性が優れることに加え、強度も向上する。
また、ポリエチレンフィルムを含むので、溶着により容易に積層体を製造することができ、アルミナ蒸着フィルムを含むので、廃棄物からの悪臭や放射線の漏れも抑制できる。
【００５１】
ここで、積層体の製造方法は、特に限定されない。
例えば、フィルム同士の溶着により積層してもよく、フィルム同士の間に接着剤を付与して接着してもよい。
【００５２】
内袋体１は、ＪＩＳ−Ｋ７１２９に準じて測定した透湿度が１００ｇ／ｍ２・２４ｈ以下であり、２０ｇ／ｍ２・２４ｈ以下であることが好ましく、５ｇ／ｍ２・２４ｈ以下であることがより好ましい。
透湿度が１００ｇ／ｍ２・２４ｈを超えると、特に液状の廃棄物の漏れを確実に防止することができない場合がある。
【００５３】
内袋体１は、ＪＩＳ−Ｋ６４０４−７のＢ法の防水試験において、０．３ＭＰａの圧をかけても漏れないものであることが好ましい。
この場合、廃棄物の漏れをより確実に防止することができる。
【００５４】
内袋体１は、ＪＩＳ−Ｋ７１２６に準じて測定した酸素透過度が５００ｍｌ／ｍ２・２４ｈ・ＭＰａ以下であることが好ましく、１００ｍｌ／ｍ２・２４ｈ・ＭＰａ以下であることがより好ましく、２５ｍｌ／ｍ２・２４ｈ・ＭＰａ以下であることが更に好ましい。
酸素透過度が５００ｍｌ／ｍ２・２４ｈ・ＭＰａを超えると、酸素透過度が上記範囲内にある場合と比較して、廃棄物の悪臭が外部に漏れる恐れがある。
【００５５】
土嚢用袋体１０において、外袋体２の容積は、内袋体１の容積よりも小さくなっている。
このため、廃棄物によって土嚢用袋体の形状が変わっても、内袋体１のみを廃棄物の形状に追従させることにより、外袋体２が破れることを防止できる。
なお、本明細書において、「外袋体の容積」とは、外袋体の口部を封止したとき容積を意味し、「内袋体の容積」とは、内袋体の口部を封止したときの容積を意味する。
また、土嚢用袋体１０を吊り上げた場合、外袋体２と内袋体１との固定部間では、外袋体２が張力を負うことによって、内袋体１への張力負荷が抑制される（張力抑制効果）。
さらに、充填された廃棄物の充填圧が、内袋体１を介して、外袋体２に伝わることになるので、外袋体２が、耐圧性を担保することにより、内袋体１が破損することを防止できる（圧力抑制効果）。
このように、内袋体１においては、張力抑制効果と圧力抑制効果が発揮される。
【００５６】
このとき、内袋体１の容積Ｖ１は、外袋体２の容積Ｖ２の１倍より大きく、４．０倍以下であることが好ましい。
すなわち、下記式を満たすことが好ましい。
１＜Ｖ１／Ｖ２≦４．０
内袋体１の容積Ｖ１が、外袋体２の容積Ｖ２の４．０倍を超えると、取り扱いにくくなるという欠点がある。
【００５７】
固定部３は、内袋体１の外側側面と外袋体２の内側側面とを部分的に固定する。
図５の（ａ）は、図１に示す土嚢用袋体をＡ−Ａ線で水平に切断した概略断面図であり、（ｂ）は、（ａ）の状態から、内袋体を剥がした図である。
図５の（ａ）に示すように、土嚢用袋体１０においては、外袋体２の内側側面と、内袋体１の外側側面とが、固定部３を介して固定されている。
固定部３は、外袋体２の内側側面の四方に等間隔で固定されているので、吊りベルト５を介して、土嚢用袋体１０をクレーン等で吊り上げた場合、内袋体１がバランスよく外袋体２に支持されることになる。
【００５８】
ここで、本実施形態に係る土嚢用袋体１０においては、外袋体２が、織物、編物、不織布又は組物であるので、固定部３と縫着により固定することが可能となっている。
縫着により固定することで、固定部３が外袋体２に確実に固定される。
【００５９】
一方、本実施形態に係る土嚢用袋体１０においては、内袋体１が、積層体であるので、固定部３と貼着により固定すること可能となっている。
このとき、内袋体１は、固定部３に対して着脱自在となっていることが好ましい。
この場合、図５の（ｂ）に示すように、固定部３に貼着した内袋体１を一度剥がすことができ、その後、所望の位置に貼着しなおすことができる。
また、内袋体１が破損した場合、内袋体１を容易に取り替えることができる。
なお、廃棄物の特性に応じた密閉性を有する内袋体１を適宜選択することも可能である。
【００６０】
固定部３の材質としては、特に限定されないが、市販の縫製可能な粘着テープや繊維片に粘着剤を塗布したもの等が挙げられる。
これにより、上述したように、固定部３を外袋体２に固定でき、且つ内袋体１に容易に貼り付けることが可能となる。
【００６１】
図５の（ａ）に戻り、土嚢用袋体１０においては、外袋体２の外側側面に対して、四方に吊りベルト５が取り付けられている。
すなわち、外袋体２の外側側面には４本の吊りベルト５が取り付けられているので、本実施形態に係る土嚢用袋体１０は、いわゆる４本吊りとなっている（図１参照）。
このため、土嚢用袋体１０においては、吊りベルト５を介して、土嚢用袋体１０をクレーン等で吊り上げた場合、４本の吊りベルト５に略均等に荷重が加わるので、土嚢用袋体１０の破損を抑制することができる。
【００６２】
土嚢用袋体１０においては、内袋体１を外袋体２内に挿入し、固定部３にて内袋体１と外袋体２とを固定させる。
そして、内袋体１の内部に廃棄物を充填し、その後、内袋体１の口部１ａを封じ、次いで、外袋体２の口部１ｂを封じることにより土嚢として用いられる。
なお、口部を封じる方法としては、特に限定されないが、内袋体１については、粘着、結束バンド、ロープ等で縛る方法が挙げられ、外袋体２については、結束バンド、ロープ等で縛る方法が挙げられる。
【００６３】
本実施形態に係る土嚢用袋体１０を用いた土嚢は、一般に、吊りベルト５をクレーンのフックに引掛け、クレーンで吊り上げた状態で運搬され、目的の位置に配置施工される。
【００６４】
以上、本発明の好適な実施形態について説明したが、本発明は上述した実施形態に限定されるものではない。
【００６５】
例えば、本実施形態に係る土嚢用袋体１０においては、内袋体１及び外袋体２がいずれも円柱状となっているが、これに限定されない。
例えば、内袋体１の形状は、封筒状、四角柱状、楕円柱状、ガゼット等であってもよい。
また、固定部３の形状も矩形状に限定されない。
【００６６】
本実施形態に係る土嚢用袋体１０においては、固定部３が、内袋体１の外側側面と外袋体２の内側側面とを、周方向に対し部分的に固定しているが、固定部３の数は限定されない。
すなわち、本実施形態に係る土嚢用袋体１０においては、外袋体２の内側側面に対して、四方に固定部３の一面が固定されており、内袋体１の外側側面に対して、該固定部３の他面が固定されているが、固定部３は、二方に設けられていてもよく、三方に設けられていてもよく、五方以上に設けられていてもよい。
また、固定部３が、外袋体２の外側側面の周方向に対し一定幅に設けられていてもよい。
【００６７】
本実施形態に係る土嚢用袋体１０においては、１本の吊りベルト５をループ状にして外袋体２に取り付けているが、複数本の吊りベルトを用いてもよい。
また、吊りベルト５は、外袋体２に部分的に縫着されているが、側面全体に縫着されていてもよい。
なお、外袋体２の底部２ａについても同様である。
さらに、吊りベルト５は、外袋体１の底部２ａで直交し、底部２ａから立ち上がるように、外袋体２の側面に沿って取り付けられているが、この構造に限定されない。
【００６８】
本実施形態に係る土嚢用袋体１０においては、４本吊りとなっているが、２本又は３本吊りであってもよく、５本吊り以上であってもよい。
【００６９】
本実施形態に係る土嚢用袋体１０は、別の土嚢用袋体と結束ベルトを用いて固定させてもよい。
具体的には、土嚢用袋体１０の吊りベルト５に対して、結束ベルトを、例えば「本結び」や「ふた結び」で結び付けることによって固定が行われる。
土嚢用袋体１０を固定させることにより、背面土圧や背面水圧による土嚢の転倒及び前方への滑動をより十分に防止することが可能となる。
【産業上の利用可能性】
【００７０】
本発明に係る土嚢用袋体１０は、大量の廃棄物を収容し、所定の位置に運搬することに用いられる。
また、廃棄物の代わりに中詰め材を収容することにより、海岸、河川、湖、池等の法面の護岸のために、敷設して用いることもできる。
本発明に係る土嚢用袋体は、廃棄物を密閉収容することができ、強度にも優れる。
【符号の説明】
【００７１】
１・・・内袋体
１ａ，１ｂ・・・口部
２・・・外袋体
２ａ・・・底部
２ｂ・・・縫着部
３・・・固定部
５・・・吊りベルト
５ａ・・・取っ手部
７・・・被覆材
１０・・・土嚢用袋体
【図１】
2014136883.tif 000003
【図２】
2014136883.tif 000004
【図３】
2014136883.tif 000005
【図４】
2014136883.tif 000006
【図５】
2014136883.tif 000007